(57)【特許請求の範囲】
【請求項１】
使用時に備えて不使用時にも通電を行う作動部と、同作動部を制御するための制御部とを具備し、同制御部は、所定時間内での使用の有無を検出する使用有無検出手段と、同使用有無検出手段によって得られた検出結果を記憶する使用有無記憶手段とを有するとともに、使用有無記憶手段での記憶データに基づいて、前記所定時間ごとに区分された時間帯のうち使用頻度の低い時間帯では作動部への通電を停止若しくは低減することによって節電を行うべく制御する衛生洗浄装置において、
制御部は、電源の供給が中断された場合に、電源供給の中断前までに使用有無記憶手段が記憶していた前記所定時間内での使用の有無の記憶データに続けて、電源供給の中断が終わった時からの使用有無検出手段による検出結果を、電源供給の中断直後からの前記所定時間内での使用の有無の記憶データとして継続して記憶し、電源の供給が中断された時間に拘らず予め設定した設定頻度よりも使用頻度が低い時間帯を使用有無記憶手段で記憶した記憶データに基づいて決定し、使用頻度が低い時間帯では作動部への通電を停止若しくは低減することによって節電を行うべく制御することを特徴とする衛生洗浄装置。
【請求項２】
制御部は、使用有無検出手段で使用の有無を検出する所定時間をさらに細分化し、細分化された時間内での使用の有無を使用有無検出手段で検出し、同使用有無検出手段によって得られた検出結果を使用有無記憶手段で記憶し、しかも、電源の供給が中断された場合には、電源供給の中断前までに使用有無記憶手段が記憶していた細分化された時間内での使用の有無の記憶データに続けて、電源供給の中断が終わった時からの使用有無検出手段による検出結果を、電源供給の中断直後からの細分化された時間内での使用の有無の記憶データとして継続して記憶し、電源の供給が中断された時間に拘らず予め設定した設定頻度よりも使用頻度が低い時間帯を使用有無記憶手段で記憶した細分化された時間内での使用の有無の記憶データに基づいて決定し、使用頻度が低い時間帯では作動部への通電を停止若しくは低減することによって節電を行うべく制御することを特徴とする請求項１記載の衛生洗浄装置。
【請求項３】
制御部は、電源の供給が中断したときは、電源供給の中断後の設定頻度を電源供給の中断前の設定頻度の値より低い値に変更することを特徴とする請求項１又は請求項２記載の衛生洗浄装置。
【発明の詳細な説明】
【０００１】
【発明の属する技術分野】
本発明は、衛生洗浄装置に関するものである。
【０００２】
【従来の技術】
従来の衛生洗浄装置は、洗浄水を吐出する洗浄水吐出ノズルを進退自在に収容した本体ケーシングを便器の上部に載設し、同本体ケーシングの前方に便座と便座カバーとを上下回動自在に配設する一方、同本体ケーシングの側部に袖状の操作部ケーシングを連設していた。
【０００３】
かかる衛生洗浄装置は、設定温度に加熱した洗浄水を吐出する洗浄水吐出ユニットと、設定温度に便座を加熱する便座加熱ユニットと、設定温度の乾燥風を送出する乾燥風送出ユニットとを具備するとともに、これらの各ユニットを制御するための制御ユニットと、同制御ユニットを操作するための操作ユニットとを具備していた。
【０００４】
そして、操作ユニットによって各ユニットでの設定温度を設定することができ、同操作ユニットによって設定した設定温度の洗浄水を洗浄水吐出ユニットから吐出したり、操作ユニットによって設定した設定温度に便座加熱ユニットで便座を加熱したり、或いは操作ユニットによって設定した設定温度の乾燥風を乾燥風送出ユニットで送出するように制御ユニットによって各ユニットを制御するようにしていた。
【０００５】
かかる従来の衛生洗浄装置では、いついかなるときでも使用者に快適に使用してもらうために、実際には使用されていないときから各ユニットに通電しておき、使用時に直ちに各ユニットから設定温度の吐水などを行うことができるようにし、さらには、操作ユニットに設けた節電ボタンが操作されると、制御ユニットで、過去の使用状況を記憶し、その記憶結果に基づいて使用頻度の低い時間帯を学習し、かかる使用頻度の低い時間帯では洗浄水吐出ユニットや便座加熱ユニットや乾燥風送出ユニットのうちの少なくとも一部の装置（ユニット又はユニットを構成する熱交換器等の装置）への通電を停止若しくは低減し、消費電力を低減させることによって節電を行うように制御していた。
【０００６】
かかる節電制御は、具体的には制御ユニットで、洗浄水吐出ユニットや便座加熱ユニットや乾燥風送出ユニットに対して使用時に備えて不使用時にも通電を行っておき、着座センサ等の使用有無検出手段によって所定時間内での使用の有無を検出するとともに、同使用有無検出手段によって得られた検出結果をメモリ等の使用有無記憶手段で記憶しておき、さらには、同使用有無記憶手段での記憶データに基づいて使用頻度の低い時間帯では作動部への通電を停止若しくは低減することによって節電を行うように制御していた。
【０００７】
【発明が解決しようとする課題】
ところが、衛生洗浄装置は、途中で停電、清掃、長期不在などの理由によって一時的に電源の供給が中断されてしまい節電制御を円滑に行えなくなることがある。
【０００８】
その場合に、電源供給の中断前までに使用有無記憶手段で記憶しておいた記憶データを完全に消去してしまい、電源供給の中断直後から使用有無検出手段での検出や使用有無記憶手段での記憶を再度始めから行って再度学習をやり直すように制御することが考えられる。
【０００９】
しかしながら、かかる制御では、長期不在による場合のように過去の記憶データが殆どあてにならないような状況では大きな問題とはならないが、短時間の停電や清掃による場合のように過去の記憶データでもある程度信頼できるような状況では、電源供給の中断直後に正確な節電制御を行うことができなくなるおそれがある。
【００１０】
また、電源供給の中断前までに使用有無記憶手段で記憶しておいた記憶データをそのまま利用しつつ、電源供給の中断直後も使用有無記憶手段での記憶を継続して行い、制御ユニットの内部あるいは付属のリモコンの内部に設けた時計等の計時手段で絶対的な基準時間（例えば、夜中の０時）となった場合に、電源供給が中断された時間分だけ補正を行い、補正後の記憶データに基づいて学習を行うように制御することも考えられる。
【００１１】
しかしながら、かかる制御では、制御ユニットの内部あるいは付属のリモコンの内部に設けた時計等の計時手段やそのための電池等の電源を別途設ける必要があるため、製造コストが増加するばかりでなく、電池交換といった煩雑な手間を使用者に強いることとなる。しかも、毎日決まった時間に清掃をするために電源の供給を中断する場合には、絶対的な基準時間にしか記憶データが補正されないことから、毎日決まった時間よりも後の記憶データにずれが生じてしまい、正確な節電制御を行えないおそれがあった。
【００１２】
上記電源供給の中断理由のうち、停電や長期不在によるものは、その発生頻度が非常に低いことから、かかる中断理由までをも想定して節電制御を行うと、最も発生頻度が多い定期的な清掃による中断時による場合にまで悪影響が及ぼしてしまうおそれがあった。
【００１３】
そこで、本発明では、電源供給の中断理由のうち、最も発生頻度が多い清掃による中断が生じても、良好に節電制御を行うことができ、しかも、発生頻度の低い停電や長期不在による中断が生じてもある程度対応することができる節電制御を提供するものである。
【００１４】
【課題を解決するための手段】
すなわち、本発明では、過去の使用状況を記憶し、その記憶結果に基づいて使用頻度の低い時間帯を学習し、かかる使用頻度の低い時間帯では少なくとも一部の装置への通電を停止若しくは低減して節電を行う衛生洗浄装置において、電源の供給が中断された場合であっても中断後に引き続き使用状況を記憶し続けて、電源の供給が中断された時間を考慮することなく使用頻度に応じた節電を行うこととした。
【００１５】
また、使用時に備えて不使用時にも通電を行う作動部と、同作動部を制御するための制御部とを具備し、同制御部は、所定時間内での使用の有無を検出する使用有無検出手段と、同使用有無検出手段によって得られた検出結果を記憶する使用有無記憶手段とを有するとともに、使用有無記憶手段での記憶データに基づいて、前記所定時間ごとに区分された時間帯のうち使用頻度の低い時間帯では作動部への通電を停止若しくは低減することによって節電を行うべく制御する衛生洗浄装置において、制御部は、電源の供給が中断された場合に、電源供給の中断前までに使用有無記憶手段が記憶していた前記所定時間内での使用の有無の記憶データに続けて、電源供給の中断が終わった時からの使用有無検出手段による検出結果を、電源供給の中断直後からの前記所定時間内での使用の有無の記憶データとして継続して記憶し、電源の供給が中断された時間に拘らず予め設定した設定頻度よりも使用頻度が低い時間帯を使用有無記憶手段で記憶した記憶データに基づいて決定し、使用頻度が低い時間帯では作動部への通電を停止若しくは低減することによって節電を行うべく制御することとした。
【００１６】
また、制御部は、使用有無検出手段で使用の有無を検出する所定時間をさらに細分化し、細分化された時間内での使用の有無を使用有無検出手段で検出し、同使用有無検出手段によって得られた検出結果を使用有無記憶手段で記憶し、しかも、電源の供給が中断された場合には、電源供給の中断前までに使用有無記憶手段が記憶していた細分化された時間内での使用の有無の記憶データに続けて、電源供給の中断が終わった時からの使用有無検出手段による検出結果を、電源供給の中断直後からの細分化された時間内での使用の有無の記憶データとして継続して記憶し、電源の供給が中断された時間に拘らず予め設定した設定頻度よりも使用頻度が低い時間帯を使用有無記憶手段で記憶した細分化された時間内での使用の有無の記憶データに基づいて決定し、使用頻度が低い時間帯では作動部への通電を停止若しくは低減することによって節電を行うべく制御することとした。
【００１７】
また、制御部は、電源の供給が中断したときは、電源供給の中断後の設定頻度を電源供給の中断前の設定頻度の値より低い値に変更することとした。
【００１８】
【発明の実施の形態】
本発明に係る衛生洗浄装置は、便器の後側上部に左右に伸延する横長略矩形箱型状の本体ケーシングを配設し、同本体ケーシングの前側部に便座と便座カバーとを上下に開閉可能にそれぞれ配設するとともに、本体ケーシングの左側端部に前後に伸延する縦長略矩形箱型状の操作部ケーシングを連設したものである。
【００１９】
かかる衛生洗浄装置は、洗浄水を使用者が予め設定した設定温度に加熱した後に使用者の局部に向けて吐出する洗浄水吐出ユニットと、便座を使用者が予め設定した設定温度に加熱する便座加熱ユニットと、使用者が予め設定した設定温度に加熱した乾燥風を使用者の局部に向けて送出する乾燥風送出ユニットとを具備しており、さらには、これらの各ユニットを制御するための制御ユニットと、同制御ユニットを操作するための操作ユニットを具備している。
【００２０】
洗浄水吐出ユニットは、給水管にバルブを連通連結し、同バルブに熱交換器を連通連結し、同熱交換器に洗浄水吐出ノズルを連通連結しており、給水管から供給される洗浄水をバルブにて一定水圧に減圧するとともに熱交換器にて設定温度に加熱し、その後、洗浄水吐出ノズルの先端部から使用者の局部に向けて吐出するようにしている。
【００２１】
便座加熱ユニットは、便座の内部にヒーターを収容しており、同ヒーターで使用者が設定した温度に便座を加熱するようにしている。
【００２２】
乾燥風送出ユニットは、本体ケーシングの内部にヒーター内蔵の送風機を配設しており、同送風機にて使用者が設定した温度に加熱した空気を使用者の局部に向けて送出するようにしている。
【００２３】
制御ユニットは、本体ケーシングの内部に制御回路を実装した制御基板を配設しており、同制御基板によって各ユニットを制御するようにしている。
【００２４】
操作ユニットは、使用時に頻繁に操作される主操作部と、比較的使用頻度が低い副操作部とから構成しており、主操作部と副操作部とを操作部ケーシングの内部に収容している。
【００２５】
かかる副操作部には、使用頻度が比較的低いと想定される時間帯においては各ユニットへの通電を中断若しくは低減して節電を行うための節電ボタンを設けている。
【００２６】
そして、本発明に係る衛生洗浄装置は、節電ボタンが操作されると、過去の使用状況を記憶し、その記憶結果に基づいて使用頻度の低い時間帯を学習し、かかる使用頻度の低い時間帯では少なくとも一部の装置への通電を停止若しくは低減して節電を行うようにしている。
【００２７】
しかも、電源の供給が中断された場合であっても中断後に引き続き使用状況を記憶し続けて、電源の供給が中断された時間を考慮することなく使用頻度に応じた節電を行うようにしている。
【００２８】
このように、電源の供給が中断された場合であっても中断後に引き続き使用状況を記憶し続けるため、短時間の停電や清掃による場合のように過去の記憶データでもある程度信頼できるような状況では、それまでの信頼できる記憶データを有効に活用して電源供給の中断直後に正確な節電制御を行うことができ、しかも、発生頻度の低い停電や長期不在による中断が生じてもそれまでの信頼できる記憶データの活用によってある程度対応することができる。
【００２９】
また、電源の供給が中断された時間を考慮することなく使用頻度に応じた節電を行っているため、計時手段等の特別の装置を別途設けなくても、すなわち製造コストの増加を招くことなく、電源供給の中断理由のうち最も発生頻度が多いと想定される短時間の清掃による中断が生じても、良好に節電制御を行うことができる。
【００３０】
具体的には、本発明に係る衛生洗浄装置は、電源の供給が中断された場合に、中断前までの使用有無記憶手段で記憶した記憶データに続けて中断直後に使用有無検出手段によって得られた検出結果を記憶データとして継続して記憶し、電源の供給が中断された時間に拘らず予め設定した設定頻度よりも使用頻度が低い時間帯を使用有無記憶手段で記憶した記憶データに基づいて決定し、使用頻度が低い時間帯では作動部への通電を停止若しくは低減することによって節電を行うべく制御している。
【００３１】
特に、使用有無検出手段で使用の有無を検出する所定時間をさらに細分化し、細分化された時間内での使用の有無を使用有無検出手段で検出し、同使用有無検出手段によって得られた検出結果を使用有無記憶手段で記憶することによって、電源供給の中断直前までに使用有無検出手段で記憶した記憶データをそっくりそのまま有効に活用でき、より一層長い中断時間にも対応した正確な節電制御を行うことができるようになる。
【００３２】
また、電源の供給が中断したときに、設定頻度を低い値に変更することによって、節電制御を行わない時間帯が増加し、かかる時間帯では、使用者が使用する際に快適な温度での吐水等が行われ、使用者に対して不快感を与えるおそれが無くなり、これによって、使用者に対してより快適な節電制御を行うことができるようになる。
【００３３】
【実施例】
以下に、本発明の実施例について図面を参照しながら具体的に説明する。
【００３４】
本発明に係る衛生洗浄装置１は、図１に示すように、便器２の上部に載設されて使用されるものであり、図１〜図４に示すように、便器２の後側上部に左右に伸延する横長略矩形箱型状の本体ケーシング３を取付け、同本体ケーシング３の前側部にＯ型状の便座４と同便座４の上部を覆う便座カバー５とを上下に開閉可能にそれぞれ取付けるとともに、本体ケーシング３の左側端部に前後に伸延する縦長略矩形箱型状の操作部ケーシング６を連設している。図中、７は洗浄タンクである。
【００３５】
かかる衛生洗浄装置１は、図５に模式的に示すように、洗浄水を使用者が予め設定した設定温度に加熱した後に使用者の局部に向けて吐出する洗浄水吐出ユニット８と、便座４を使用者が予め設定した設定温度に加熱する便座加熱ユニット９と、使用者が予め設定した設定温度に加熱した乾燥風を使用者の局部に向けて送出する乾燥風送出ユニット10とを具備しており、さらには、これらの各ユニット8,9,10を制御するための制御ユニット11と、同制御ユニット11を操作するための操作ユニット12を具備している。
【００３６】
そして、使用者が操作ユニット12を操作することによって各ユニット（洗浄水吐出ユニット８、便座加熱ユニット９、乾燥風送出ユニット10）での設定温度を調節することができ、同操作ユニット12によって設定した設定温度の洗浄水を洗浄水吐出ユニット８から吐出したり、操作ユニット12によって設定した設定温度に便座加熱ユニット９で便座４を加熱したり、或いは操作ユニット12によって設定した設定温度の乾燥風を乾燥風送出ユニット10で送出するように制御ユニット11によって各ユニット8,9,10を制御するように構成している。
【００３７】
上記各ユニット（洗浄水吐出ユニット８、便座加熱ユニット９、乾燥風送出ユニット10、制御ユニット11、操作ユニット12）の構成について以下に説明する。
【００３８】
洗浄水吐出ユニット８は、図５及び図６に示すように、本体ケーシング３の左側底部にバルブ13を配設するとともに、本体ケーシング３の右側部に熱交換器14を配設し、さらには、本体ケーシング３の中央部に洗浄水吐出ノズル15を前後方向に向けて進退自在に配設しており、給水管16にバルブ13を連通連結し、同バルブ13に熱交換器14を連通管17を介して連通連結し、同熱交換器14に洗浄水吐出ノズル15を連通管18を介して連通連結している。
【００３９】
そして、洗浄水吐出ユニット８は、給水管16から供給される洗浄水をバルブ13にて一定水圧に減圧するとともに熱交換器14にて設定温度に加熱し、その後、洗浄水吐出ノズル15の先端部から吐出するようにしている。尚、バルブ13は、内部で洗浄水を分岐させることができ、分岐させた洗浄水を連通管71から進退移動する洗浄水吐出ノズル17の胴体部に向けて吐出することによって、洗浄水吐出ノズル17の胴体部を洗浄できるようにしている。
【００４０】
便座加熱ユニット９は、図５に示すように、便座４の内部にヒーター19を収容しており、同ヒーター19に通電する電流値又は印加する電圧値を調節することで使用者が設定した温度に便座４を加熱するようにしている。
【００４１】
乾燥風送出ユニット10は、図５及び図６に示すように、本体ケーシング３の左側部にヒーター内蔵の送風機20を配設し、同送風機20の送出口21を本体ケーシング３の略中央底部に配設しており、同送風機20にて使用者が設定した温度に加熱した空気を送出口21から送出するようにしている。尚、送風機20の上部には、脱臭機73を付設しており、同脱臭機73で空気を脱臭することによって悪臭の発生を防止している。
【００４２】
制御ユニット11は、図５〜図７に示すように、本体ケーシング３の左側後部に制御回路を実装した制御基板22を配設し、同制御基板22に各ユニット（洗浄水吐出ユニット８、便座加熱ユニット９、乾燥風送出ユニット10、操作ユニット12）をケーブル23,24,25,26を介して接続している。
【００４３】
また、制御ユニット11は、制御基板22にコントローラ38（ＣＰＵ）を配設し、同コントローラ38に赤外線センサ等の着座センサからなる使用有無検出手段39とＲＡＭやＥＥＰＲＯＭ等のメモリからなる使用有無記憶手段40とタイマー41とを接続している。かかる使用有無検出手段39は、所定時間内において衛生洗浄装置１が１度でも使用されたか否かといった使用の有無を検出するものであり、また、使用有無記憶手段40は、使用有無検出手段39によって得られた検出結果を記憶するものである。
【００４４】
操作ユニット12は、図５〜図９に示すように、操作部ケーシング６の前側部に配設した使用時に頻繁に操作される主操作部27と、操作部ケーシング６の後側部に配設した比較的使用頻度が低い副操作部28とから構成している。
【００４５】
主操作部27は、図７に示すように、操作部ケーシング６の上面前側部に複数の貫通孔31を穿設するとともに、操作部ケーシング６の上面前側部にシート状の操作パネル32を貼着する一方、操作部ケーシング６の下部（裏面）に略平板状の樹脂素材からなるインシュレータ33を取付け、同インシュレータ33の下部に複数の操作スイッチ34を配設した回路基板35を取付けている。図中、36は固定用ビスである。
【００４６】
操作パネル32には、複数の操作ボタン37がエンボス加工により突出形成され、各操作ボタン37の表面や上部にその操作ボタン37による動作を説明する文字や図形を印刷している。
【００４７】
前記回路基板35の上部には、図７に示すように、絶縁性及び可撓性を有する素材、例えばシリコン等をシート状に成形した上側カバー42を載設しており、一方、回路基板35の下部には、図７に示すように、絶縁性を有する素材、例えば樹脂等のフィルムをシート状に成形した下側カバー46を配設している。
【００４８】
上記実施例では、操作部ケーシング６の前側部に配設した主操作部27の構造について説明したが、操作部ケーシング６の後側部に配設した副操作部28も主操作部27と同様の構造としている。
【００４９】
すなわち、副操作部28は、図７〜図９に示すように、操作部ケーシング６の上面後側部に開閉蓋53を開閉自在に取付け、同開閉蓋53の下方の操作部ケーシング６に複数の貫通孔(図示省略）を穿設するとともに、操作部ケーシング６の上面後側部（開閉蓋53の下方）にシート状の操作パネル54を貼着する一方、操作部ケーシング６の下部に略平板状の樹脂素材からなるインシュレータ(図示省略）を取付け、同インシュレータの下部に複数の操作スイッチ(図示省略）を配設した回路基板(図示省略）を取付けている。
【００５０】
副操作部28に設けた操作パネル54は、図９に示すように、前側部に、洗浄水吐出ユニット８や便座加熱ユニット９や乾燥風送出ユニット10での設定温度を設定する際に温度を設定すべきユニットを選択するための選択ボタン55,56,57を各ユニット（洗浄水吐出ユニット８、便座加熱ユニット９、乾燥風送出ユニット10）ごとに配設し、後側部に、節電ボタン58やその他の操作ボタンを配設しており、これらの選択ボタン55,56,57や節電ボタン58はエンボス加工により突出形成され、各ボタン55,56,57,58の表面や上部にその操作ボタン37による動作を説明する文字を印刷している。
【００５１】
また、操作パネル54は、前側部の選択ボタン55,56,57の左側部に、各ユニット（洗浄水吐出ユニット８、便座加熱ユニット９、乾燥風送出ユニット10）での現在の設定温度を表示するために１個の表示部60を配設しており、かかる表示部60に前記選択ボタン55,56,57で選択されたユニットの設定温度を表示するようにしている。かかる表示部60は、設定温度を高低で示すための５個のLED等のランプ61, 62,63,64,65を１列に配置している。
【００５２】
そして、選択ボタン55,56,57を押圧操作することによって、所定のユニット（洗浄水吐出ユニット８、便座加熱ユニット９、乾燥風送出ユニット10）を所望の設定温度で作動させるようにしている。
【００５３】
上記構成の衛生洗浄装置１では、いついかなるときでも使用者が快適に使用することができるように、実際に使用されていないときから各ユニット（洗浄水吐出ユニット８、便座加熱ユニット９、乾燥風送出ユニット10）に通電しておき、使用時に直ちに操作ユニット12によって設定した設定温度の洗浄水を洗浄水吐出ユニット８から吐出したり、操作ユニット12によって設定した設定温度に便座加熱ユニット９で便座４を加熱したり、或いは操作ユニット12によって設定した設定温度の乾燥風を乾燥風送出ユニット10で送出できるように制御ユニット11によって各ユニット8,9,10を制御している。このように、本実施例に係る衛生洗浄装置１は、使用時に備えて不使用時にも通電を行う作動部として洗浄水吐出ユニット８と便座加熱ユニット９と乾燥風送出ユニット10とを具備するとともに、同作動部を制御するための制御部として制御ユニット1 1を具備している。
【００５４】
しかも、本実施例に係る衛生洗浄装置１では、操作ユニット12に設けた節電ボタン58が操作された場合には、制御ユニット11が、過去の使用状況を記憶し、その記憶結果に基づいて使用頻度の低い時間帯を学習し、かかる使用頻度の低い時間帯では洗浄水吐出ユニット８や便座加熱ユニット９や乾燥風送出ユニット10への通電を停止若しくは低減し、装置全体での消費電力を低減させることによって節電を行うように制御している。
【００５５】
すなわち、制御ユニット11は、タイマー41で所定時間（本実施例では、４５分間）を計測し、かかる所定時間内に実際に使用されたか否かを使用有無検出手段39で検出し、その検出結果を使用有無記憶手段40で記憶し、予め設定した設定頻度よりも使用頻度が低い時間帯を使用有無記憶手段40での記憶データ66に基づいて決定し、かかる使用頻度の低い時間帯では作動部（洗浄水吐出ユニット８、便座加熱ユニット９、乾燥風送出ユニット10）への通電を停止若しくは低減することによって節電を行うように制御している。
【００５６】
記憶データ66は、図11に示すように、１日を４５分間ごとに３２個の時間帯（５時３０分〜６時１５分、６時１５分〜７時、７時〜７時４５分、・・・、４時〜４時４５分、４時４５分〜５時３０分）に区分し、節電制御を行う１日前（前日）の第１番目の時間帯（５時３０分〜６時１５分）での使用の有無を示すデータをＤ(1,1)とし、第２番目の時間帯（６時１５分〜７時）での使用の有無を示すデータをＤ(1,2)とし、また、節電制御を行う２日前の第１番目の時間帯（５時３０分〜６時１５分）での使用の有無を示すデータをＤ(2,1)とし、第２番目の時間帯（６時１５分〜７時）での使用の有無を示すデータをＤ(2,2)とし、すなわち、節電制御を行うｍ日前の第ｎ番目の時間帯での使用の有無を示すデータをＤ(m,n)として表している。尚、本実施例では、節電制御を行う８日前までのデータを記憶しておくようにしている。
【００５７】
ここで、使用の有無を示すデータは、図11中の式（１）に示すように、各時間帯において実際に使用された場合には、各データを１とし、一方、各時間帯において実際に１度も使用されなかった場合には、各データを０としている。
【００５８】
また、記憶データ66は、１日を４５分間ごとに３２個の時間帯に区分し、節電制御を行う当日の各時間帯において節電を行うか否か（通電するか否か）を示すデータをＳ(1)、Ｓ(2)、Ｓ(3)、・・・、Ｓ(31)、Ｓ(32)としており、かかる節電を行うか否かを示すデータは、節電制御を行う８日前〜１日前までにおける隣接する２個の時間帯での使用の有無を示すデータに基づいて決定するようにしている。そのため、節電を行うか否かを示すデータにおける時間帯は、使用の有無を示すデータにおける時間帯よりも２２分３０秒だけずれている。具体的には、節電を行うか否かを示すデータにおける時間帯は、５時５２分３０秒〜６時３７分３０秒、６時３７分３０秒〜７時２２分３０秒、７時２２分３０秒〜８時７分３０秒、・・・、４時２２分３０秒〜５時７分３０秒、５時７分３０秒〜５時５２分３０秒の３２区分としている。
【００５９】
ここで、節電を行うか否かを示すデータは、図11中の式（２）に示すように、節電制御を行う８日前〜１日前までにおける隣接する２個の時間帯での使用の有無を示す１６個のデータの総和を求め、かかる総和が予め定めた設定頻度ｋよりも多く使用されている場合には、節電を行わないことを示す「Ｘ」とし、一方、前記総和が予め定めた設定頻度ｋよりも少なく使用されている場合には、節電を行うことを示す「Ｏ」としている。設定頻度ｋは、例えば、合計１６個の時間帯において４回以上使用されている時間帯では節電を行わないように設定する場合には設定頻度ｋを４としておく。尚、計算の便宜上、Ｄ(i,1)をＤ(i,33)としている。
【００６０】
具体例に基づいて説明すると、図12に示すように、タイマー41を用いて４５分間隔で使用有無検出手段39による検出結果を使用有無記憶手段40で記憶データ66を記憶する場合において、８日前は第３番目の時間帯（７時〜７時４５分）においてのみ使用され（すなわち、Ｄ(8,3)＝１）、７日前は第４番目の時間帯（７時４５分〜８時３０分）においてのみ使用され（すなわち、Ｄ(7,4)＝１）、６日前は第２、第３、第５番目の時間帯において使用され（すなわち、Ｄ(6,2)＝１、Ｄ(6,3)＝１、Ｄ(6,5)＝１）、５日前は第４番目の時間帯においてのみ使用され（すなわち、Ｄ(5,4)＝１）、４日前は第５番目の時間帯においてのみ使用され（すなわち、Ｄ(4,5)＝１）、３日前は第３番目の時間帯においてのみ使用され（すなわち、Ｄ(3,3)＝１）、２日前は第３、第４番目の時間帯において使用され（すなわち、Ｄ(2,3)＝１、Ｄ(2,4)＝１）、１日前は第４番目の時間帯においてのみ使用され（すなわち、Ｄ(1,4)＝１）たとすると、使用頻度が４回以上のときには節電しないように制御する場合（すなわち、設定頻度ｋ＝４の場合）は、図11中の式(2)より、第２、第３、第４番目の時間帯（すなわち、６時３７分３０秒〜７時２２分３０秒、７時２２分３０秒〜８時７分３０秒、８時７分３０秒〜８時５２分３０秒の各時間帯）においては節電を行わず、他の時間帯においては節電を行う（すなわち、Ｓ(1)＝「Ｏ」、Ｓ(2)＝「Ｘ」、Ｓ(3)＝「Ｘ」、Ｓ(4)＝「Ｘ」、Ｓ(5)＝「Ｏ」、Ｓ(6)＝「Ｏ」）ように制御する。
【００６１】
ここで、使用頻度が２回以上のときには節電しないように制御する場合（すなわち、設定頻度ｋ＝２の場合）には、図11中の式(2)より、第２、第３、第４番目の時間帯（すなわち、６時３７分３０秒〜７時２２分３０秒、７時２２分３０秒〜８時７分３０秒、８時７分３０秒〜８時５２分３０秒の各時間帯）に加えて第５番目の時間帯（すなわち、８時５２分３０秒〜９時３７分３０秒）の各時間帯）においては節電を行わず、他の時間帯においては節電を行う（すなわち、Ｓ(1)＝「Ｏ」、Ｓ(2)＝「Ｘ」、Ｓ(3)＝「Ｘ」、Ｓ(4)＝「Ｘ」、Ｓ(5)＝「Ｘ」、Ｓ(6)＝「Ｏ」）ように制御する。
【００６２】
このように、設定頻度ｋを低い値に変更すると、節電制御を行わない時間帯が増える（上記実施例では、第５番目の時間帯が、設定頻度ｋ＝４では、節電制御を行うが、設定頻度ｋ＝２では、節電制御を行わない。）。すなわち、設定頻度ｋをより低い値に変更することによって、節電制御を行わない時間帯が増加し、かかる時間帯では、使用者が使用する際に快適な温度での吐水等が行われ、使用者に対して不快感を与えるおそれが無くなることになる。換言すれば、節電制御には、節電を行うことによって消費電力を低減することができる効果が得られる反面、節電を行っている時間帯で不意に使用されるとかえって使用者に不快感を与えてしまうおそれがあり、使用者に可及的に不快感を与えないようにするためには、節電を行う時間帯を安全側すなわち増加させる側に制御することが望ましいのである。上記では、便宜上、具体的な時刻を示して説明したが、この時刻は制御ユニット11が認識している時刻であり、実際の時刻との整合をとることはできない。従って、以下に説明するように電源の供給が途中で中断された場合には、制御ユニット11内の時間は進まないため、実際の時間とは少なくとも電源供給が中断されていた時間だけずれることとなる。  そして、本実施例では、節電制御時において電源の供給が途中で中断された場合の制御に特徴を有している。
【００６３】
すなわち、本実施例では、制御ユニット11が、電源の供給が中断された場合に、電源供給の中断前までに使用有無記憶手段40が記憶していた記憶データ66に続けて電源供給の中断直後から使用有無検出手段39によって得られた検出結果を記憶データ66として継続して記憶し、電源の供給が中断された時間に拘らず予め設定した設定頻度ｋよりも使用頻度が低い時間帯を使用有無記憶手段40で記憶した記憶データに基づいて決定し、使用頻度が低い時間帯では各ユニット8,9,10への通電を停止若しくは低減することによって節電を行うように制御している。
【００６４】
具体的には、図13に示すように、第ｍ日前の第ｎ＋１番目の時間帯において清掃をするために電源の供給が中断されたとすると、電源供給の中断前までに使用有無記憶手段40が記憶していた記憶データ66、ここではＤ(m,n)までの記憶データ66を使用有無記憶手段40で記憶しておき、電源供給の中断が終わった時すなわち電源供給が再開された時から再び使用有無検出手段39による検出を再開し、電源供給の中断直後から使用有無検出手段39によって得られた検出結果を記憶データ66として継続して記憶する（ここでは、Ｄ(m,n+1)、Ｄ(m,n+2)、・・・）。
【００６５】
このように、本実施例では、電源の供給が中断された場合であっても中断後に引き続き使用状況を記憶し続けるため、短時間の停電や清掃による場合のように過去の記憶データ66でもある程度信頼できるような状況では、それまでの信頼できる記憶データ66を有効に活用して電源供給の中断直後に正確な節電制御を行うことができ、しかも、発生頻度の低い停電や長期不在による中断が生じてもそれまでの信頼できる記憶データ66の活用によってある程度対応することができる。
【００６６】
また、電源の供給が中断された時間を考慮することなく使用頻度に応じた節電を行っているため、計時手段等の特別の装置を別途設けなくても、すなわち製造コストの増加を招くことなく、電源供給の中断理由のうち最も発生頻度が多いと想定される短時間の清掃による中断が生じても、良好に節電制御を行うことができる。
【００６７】
このように、本実施例では、電源の供給が中断された場合に、中断前までの使用有無記憶手段40で記憶した記憶データ66に続けて中断直後に使用有無検出手段39によって得られた検出結果を記憶データ66として継続して記憶し、電源の供給が中断された時間に拘らず予め設定した設定頻度ｋよりも使用頻度が低い時間帯を使用有無記憶手段40で記憶した記憶データ66に基づいて決定し、使用頻度が低い時間帯では各ユニット8,9,10への通電を停止若しくは低減することによって節電を行うように制御しているため、計時手段等の特別の装置を別途設けずに、すなわち製造コストの増加を招かずに、電源供給の中断理由のうち最も発生頻度が多いと想定される短時間の清掃による中断が生じても、良好に節電制御を行うことができ、しかも、発生頻度の低い停電や長期不在による中断が生じてもある程度対応することができる節電制御を行うことができる。
【００６８】
特に、制御ユニット11が、電源の供給が中断した場合に、前述したように設定頻度ｋをより低い値に変更するように制御すれば、節電制御を行わない時間帯が増加し、かかる時間帯では、使用者が使用する際に快適な温度での吐水等が行われ、使用者に対して不快感を与えるおそれが無くなり、これによって、使用者に対してより快適な節電制御を行うことができるようになる。
【００６９】
上記実施例では、図13に基づいて説明したように、第ｍ日前の第ｎ＋１番目の時間帯において清掃をするために電源の供給が中断された場合には、電源供給の中断前までに使用有無記憶手段40が記憶していた記憶データ66を使用有無記憶手段40で記憶しておき、電源供給の中断が終わった時から再び使用有無検出手段39による検出を再開しているため、第ｎ番目の記憶データ66（Ｄ(m,n)）の記憶直後から電源供給の中断終了までの間の時間（図13中に符号t1で示す時間）だけその後の記憶データ66がずれることになる。
【００７０】
かかる電源供給の中断が第ｎ＋１番目の記憶データ66（Ｄ(m,n+1)）の記憶開始直後であれば殆ど節電制御に悪影響を及ぼすことはないが、第ｎ＋１番目の記憶データ66（Ｄ(m,n+1)）の記憶終了間際であれば、ずれが大きく生じることとなる。そのため、そのような場合に対応した良好な節電制御を行うために、制御ユニット11は、使用有無検出手段39で使用の有無を検出する所定時間（例えば４５分間）をさらに細分化し、細分化された時間内（例えば1分間）での使用の有無を使用有無検出手段39で検出し、同使用有無検出手段39によって得られた検出結果を使用有無記憶手段40で記憶するようにしている。
【００７１】
すなわち、図14に示すように、第ｍ日前の第ｎ番目の記憶データ66（Ｄ(m,n)）を使用有無検出手段39で検出する際に、タイマー41を用いて１分間隔で使用有無検出手段39によって検出した検出結果を細分化データ67（ｄ(m,n,1)、ｄ(m,n,2)、ｄ(m,n,3)、・・・、ｄ(m,n,44)、ｄ(m,n,45)）として使用有無記憶手段40で記憶し、さらに、図14中の式(3)で示すように、その総和が１以上の時には、その時間帯（４５分間）での使用が行われたと判断して、使用有無記憶手段40は記憶データ66として１を記憶し（すなわち、Ｄ(m,n)＝１）、一方、細分化データ67の総和が０の時には、その時間帯（４５分間）での使用が行われなかったと判断して、使用有無記憶手段40は記憶データ66として０を記憶する（すなわち、Ｄ(m,n)＝０）。尚、ここでも、使用の有無を示すデータは、細分化された各時間帯において実際に使用された場合には、各データを１とし（すなわち、ｄ(m,n,h)＝１）、一方、各時間帯において実際に１度も使用されなかった場合には、各データを０としている（すなわち、ｄ(m,n,h)＝０）。
【００７２】
具体的には、図15に示すように、第ｍ日前の第ｎ＋１番目の時間帯の１０分後に清掃をするためにある時間（図15中、符号t2で示す時間）だけ電源の供給が中断された場合には、電源供給の中断直前までに使用有無記憶手段40が記憶していた記憶データ66、ここではｄ(m,n+1,1)〜ｄ(m,n+1,10)までの記憶データ66を使用有無記憶手段40で記憶しておき、電源供給の中断が終わった時すなわち電源供給が再開された時から再び使用有無検出手段39による検出を再開し、電源供給の中断直後から使用有無検出手段39によって得られた検出結果を記憶データ66として継続して記憶する（ここでは、ｄ(m,n+1,11)〜ｄ(m,n+1,45)、Ｄ(m,n+2)）。
【００７３】
このように、使用有無検出手段39で使用の有無を検出する所定時間をさらに細分化し、細分化された時間内での使用の有無を使用有無検出手段39で検出し、同使用有無検出手段39によって得られた検出結果を使用有無記憶手段40で記憶するように制御することによって、電源供給の中断直前までに使用有無検出手段39で記憶した細分化データ67（ここでは、ｄ(m,n+1,1)〜ｄ(m,n+1,10)）をそっくりそのまま有効に活用でき、電源供給の中断開始から電源供給の中断終了までの間の時間（図15中に符号t2で示す時間）だけしか記憶データ66のずれが生じなくなり、したがって、電源供給の中断による記憶データ66のずれを可及的に小さくすることができ、これによって、より一層長い中断時間にも対応した正確な節電制御を行うことができる。
【００７４】
この場合でも、制御ユニット11が、電源の供給が中断した場合に、前述したように設定頻度ｋをより低い値に変更するように制御すれば、節電制御を行わない時間帯が増加し、かかる時間帯では、使用者が使用する際に快適な温度での吐水等が行われ、使用者に対して不快感を与えるおそれが無くなり、これによって、使用者に対してより快適な節電制御を行うことができるようになる。
【００７５】
上述した節電制御の有効性を検証するために、毎日１０時頃（実際の時刻）に１０分間だけ清掃などの理由によって電源の供給を中断したと想定し、毎日７時１０分〜７時１５分（実際の時刻）の５分間において使用をするとした場合の節電制御結果を図16及び図17に示す。尚、図16及び図17では、検証開始後の８日目までの使用状況と節電制御結果を順に示している。使用状況は、検証日の８日前〜１日前までの各日の５分間隔での使用有無を「Ｏ」又は「Ｘ」（使用した場合は「Ｏ」、使用していない場合は「Ｘ」で表す。）で表している。また、節電制御結果は、各時間帯（４５分間）で節電をしない場合には実線の矢印で示し、節電をする場合には点線の矢印で示している。図中、最上部の時間は実際の時間（絶対時間）を示している。
【００７６】
まず、設定頻度ｋを４とした場合、すなわち過去８日間で隣接する２個の時間帯（９０分間）に４回以上使用がされると節電を行わない場合を図16に示す。
【００７７】
図16に示すように、まず１日目は、それまでの過去８日間に電源供給の中断がなく、したがって記憶データ66のずれがなく、頻繁に使用される７時１０分〜７時１５分（実際の時刻）を含む９０分間だけ節電が行われない。
【００７８】
次に、２日目では、前日の１０分間の電源供給の中断によって記憶データ66が１０分間分だけずれ、これに伴って節電が行われない時間帯も10分間分だけずれるが、それでもなお頻繁に使用される７時１０分〜７時１５分（実際の時刻）を含む９０分間だけ節電が行われない。
【００７９】
同様に、３日目では記憶データ66や節電が行われない時間帯が２０分間分だけずれるが、頻繁に使用される７時１０分〜７時１５分（実際の時刻）を含む９０分間は節電が行われておらず、４日目では記憶データ66や節電が行われない時間帯が３０分間分だけずれるが、頻繁に使用される７時１０分〜７時１５分（実際の時刻）を含む９０分間は節電が行われておらず、５日目では記憶データ66や節電が行われない時間帯が４０分間分だけずれるが、頻繁に使用される７時１０分〜７時１５分（実際の時刻）を含む９０分間は節電が行われていない。
【００８０】
そして、６日目では記憶データ66や節電が行われない時間帯が５０分間分だけずれ、頻繁に使用される７時１０分〜７時１５分（実際の時刻）よりも後の９０分間で節電が行われないことになり、実際の使用時間（７時１０分〜７時１５分）では節電が行われてしまうことになる。
【００８１】
次に、７日目では記憶データ66や節電が行われない時間帯が６０分間分だけずれるが、それにより節電を行わない時間帯が増加して、頻繁に使用される７時１０分〜７時１５分（実際の時刻）を含む１３５分間は節電が行われておらず、８日目では記憶データ6 6や節電が行われない時間帯が７０分間分だけずれるが、頻繁に使用される７時１０分〜７時１５分（実際の時刻）を含む１３５分間は節電が行われていない。
【００８２】
このように、上述した節電制御を行うことによって、現実的に起こる可能性が高いと想定される清掃等による毎日短時間（１０分間）だけの電源供給の中断があっても、殆ど影響はなく、実際に頻繁に使用される時間帯では良好な節電制御が行われることがわかる。
【００８３】
また、図16に示す検証結果では、６日目に実際の使用時間で節電されてしまうことになっているが、これは前述したように、設定頻度ｋを低い値に変更することによって解消することができる。
【００８４】
すなわち、設定頻度ｋを２とした場合、すなわち過去８日間で隣接する２個の時間帯（９０分間）に２回以上使用がされると節電を行わない場合を図17に示す。
【００８５】
図17に示すように、まず１日目は、それまでの過去８日間に電源供給の中断がなく、したがって記憶データ66のずれがなく、頻繁に使用される７時１０分〜７時１５分（実際の時刻）を含む９０分間だけ節電が行われない。
【００８６】
また、２日目では、前日の１０分間の電源供給の中断によって記憶データ66が１０分間分だけずれ、これに伴って節電が行われない時間帯も10分間分だけずれるが、それでもなお頻繁に使用される７時１０分〜７時１５分（実際の時刻）を含む９０分間だけ節電が行われない。同様に、３日目では記憶データ66や節電が行われない時間帯が２０分間分だけずれるが、頻繁に使用される７時１０分〜７時１５分（実際の時刻）を含む９０分間は節電が行われておらず、４日目では記憶データ66や節電が行われない時間帯が３０分間分だけずれるが、頻繁に使用される７時１０分〜７時１５分（実際の時刻）を含む９０分間は節電が行われておらず、５日目では記憶データ66や節電が行われない時間帯が４０分間分だけずれるが、頻繁に使用される７時１０分〜７時１５分（実際の時刻）を含む９０分間は節電が行われていない。
【００８７】
そして、６日目では記憶データ66や節電が行われない時間帯が５０分間分だけずれるが、それにより節電を行わない時間帯が増加して、頻繁に使用される７時１０分〜７時１５分（実際の時刻）を含む１３５分間は節電が行われないことになり、実際の使用時間（７時１０分〜７時１５分）でも節電が行われていない。
【００８８】
次に、７日目では記憶データ66や節電が行われない時間帯が６０分間分だけずれるが、頻繁に使用される７時１０分〜７時１５分（実際の時刻）を含む１３５分間は節電が行われておらず、８日目では記憶データ66や節電が行われない時間帯が７０分間分だけずれるが、頻繁に使用される７時１０分〜７時１５分（実際の時刻）を含む１３５分間は節電が行われていない。
【００８９】
このように、設定頻度ｋをより低い値に変更することによって、節電制御を行わない時間帯が増加し（上記具体例では、９０分間から１３５分間に増加する）、かかる時間帯では、使用者が使用する際に快適な温度での吐水等が行われ、使用者に対して不快感を与えるおそれが無くなり、これによって、使用者に対してより快適な節電制御を行うことができるようになる。かかる設定頻度ｋの変更は、電源の中断が生じるたびに徐々に低い値に変更してもよい。また、所定期間電源の中断が生じなかった場合には、設定頻度ｋを徐々に高い値に変更してもよい。
【００９０】
【発明の効果】
本発明は、以上に説明したような形態で実施され、以下に記載されるような効果を奏する。
【００９１】
すなわち、本発明では、電源の供給が中断された場合であっても中断後に引き続き使用状況を記憶し続けるため、短時間の停電や清掃による場合のように過去の記憶データでもある程度信頼できるような状況では、それまでの信頼できる記憶データを有効に活用して電源供給の中断直後に正確な節電制御を行うことができ、しかも、発生頻度の低い停電や長期不在による中断が生じてもそれまでの信頼できる記憶データの活用によってある程度対応することができる。
【００９２】
また、電源の供給が中断された時間を考慮することなく使用頻度に応じた節電を行っているため、計時手段等の特別の装置を別途設けなくても、すなわち製造コストの増加を招くことなく、電源供給の中断理由のうち最も発生頻度が多いと想定される短時間の清掃による中断が生じても、良好に節電制御を行うことができる。
【００９３】
また、請求項１に係る本発明では、電源の供給が中断された場合に、電源供給の中断前までに使用有無記憶手段が記憶していた前記所定時間内での使用の有無の記憶データに続けて、電源供給の中断が終わった時からの使用有無検出手段による検出結果を、電源供給の中断直後からの前記所定時間内での使用の有無の記憶データとして継続して記憶し、電源の供給が中断された時間に拘らず予め設定した設定頻度よりも使用頻度が低い時間帯を使用有無記憶手段で記憶した記憶データに基づいて決定し、使用頻度が低い時間帯では作動部への通電を停止若しくは低減することによって節電を行うべく制御しているため、この場合にも、計時手段等の特別の装置を別途設けなくても、すなわち製造コストの増加を招くことなく、電源供給の中断理由のうち最も発生頻度が多いと想定される短時間の清掃による中断が生じても、良好に節電制御を行うことができ、しかも、発生頻度の低い停電や長期不在による中断が生じてもある程度対応することができる節電制御を行うことができる。
【００９４】
また、請求項２に係る本発明では、使用有無検出手段で使用の有無を検出する所定時間をさらに細分化し、細分化された時間内での使用の有無を使用有無検出手段で検出し、同使用有無検出手段によって得られた検出結果を使用有無記憶手段で記憶しているため、電源供給の中断直前までに使用有無検出手段で記憶した記憶データをそっくりそのまま有効に活用でき、より一層長い中断時間にも対応した正確な節電制御を行うことができる。
【００９５】
また、請求項３に係る本発明では、制御部は、電源の供給が中断したときは、電源供給の中断後の設定頻度を電源供給の中断前の設定頻度の値より低い値に変更しているため、節電制御を行わない時間帯が増加し、かかる時間帯では、使用者が使用する際に快適な温度での吐水等が行われ、使用者に対して不快感を与えるおそれが無くなり、これによって、使用者に対してより快適な節電制御を行うことができる。
【図面の簡単な説明】
【図１】本発明にかかる衛生洗浄装置の使用状態を示す斜視図。
【図２】本発明に係る衛生洗浄装置を示す平面図。
【図３】同正面図。
【図４】同左側面図。
【図５】衛生洗浄装置の内部構造を示す模式図。
【図６】同斜視図。
【図７】各ユニットの接続を示す模式図。
【図８】操作ユニットを示す分解斜視図。
【図９】同正面図。
【図１０】副操作部を示す平面図。
【図１１】記憶データを示す説明図。
【図１２】記憶データの具体例を示す説明図。
【図１３】電源供給が中断された場合の記憶データを示す説明図。
【図１４】細分化された記憶データを示す説明図。
【図１５】電源供給が中断された場合の記憶データを示す説明図。
【図１６】設定頻度ｋ＝４の場合の検証結果。
【図１７】設定頻度ｋ＝２の場合の検証結果。
【符号の説明】
１  衛生洗浄装置
２  便器
３  本体ケーシング
４  便座
５  便座カバー
６  操作部ケーシング
８  洗浄水吐出ユニット
９  便座加熱ユニット
10  乾燥風送出ユニット
11  制御ユニット
12  操作ユニット
13  バルブ
14  熱交換器
15  洗浄水吐出ノズル
16  給水管
19  ヒーター
22  制御基板
27  主操作部
28  副操作部
32  操作パネル
39  使用有無検出手段
40  使用有無記憶手段
58  節電ボタン
66  記憶データ
【図１】
0004529309.tif 000002
【図２】
0004529309.tif 000003
【図３】
0004529309.tif 000004
【図４】
0004529309.tif 000005
【図５】
0004529309.tif 000006
【図６】
0004529309.tif 000007
【図７】
0004529309.tif 000008
【図８】
0004529309.tif 000009
【図９】
0004529309.tif 000010
【図１０】
0004529309.tif 000011
【図１１】
0004529309.tif 000012
【図１２】
0004529309.tif 000013
【図１３】
0004529309.tif 000014
【図１４】
0004529309.tif 000015
【図１５】
0004529309.tif 000016
【図１６】
0004529309.tif 000017
【図１７】
0004529309.tif 000018